(57)【特許請求の範囲】
【請求項１】
マトリクス状に配列された複数の液晶画素と、前記複数の液晶画素を行方向及び列方向に接続する複数の信号ライン及び走査ラインと、所定の走査信号を順次シフトさせて印加し、前記走査ラインを順次選択する走査ドライバと、前記信号ラインに画像信号を印加する信号ドライバと、を備えた液晶表示装置において、
前記信号ドライバは、前記信号ラインに印加するａ（ａは正の整数）個のＲＧＢ画素分の画像信号を入力する入力系を有する第１及び第２のドット反転用ドライバから構成され、
前記第１のドット反転用ドライバは、前記複数の信号ラインの隣接する３ａ×ｎ本（ｎは正の整数）を一組とする複数のグループのうち、ｎが奇数番目のグループに属する信号ライン群を駆動し、また、前記第２のドット反転用ドライバは、ｎが偶数番目のグループに属する信号ライン群を駆動することを特徴とする液晶表示装置。
【請求項２】
前記液晶表示装置において、前記第１及び第２のドット反転用ドライバは、前記信号ラインに印加する３ドット（ＲＧＢ画素１個分）の画像信号を入力する入力系を有するドット反転用ドライバから構成され、
前記第１のドット反転用ドライバは、前記複数の信号ラインの隣接する３本を一組とする複数のグループのうち、奇数番目のグループに属する信号ライン群を駆動し、また、前記第２のドット反転用ドライバは、偶数番目のグループに属する信号ライン群を駆動することを特徴とする請求項１記載の液晶表示装置。
【請求項３】
前記液晶表示装置において、前記第１及び第２のドット反転用ドライバは、前記信号ラインに印加する６ドット（ＲＧＢ画素２個分）の画像信号を入力する入力系を有するドット反転用ドライバから構成され、
前記第１のドット反転用ドライバは、前記複数の信号ラインの隣接する６本を一組とする複数のグループのうち、奇数番目のグループに属する信号ライン群を駆動し、また、前記第２のドット反転用ドライバは、偶数番目のグループに属する信号ライン群を駆動することを特徴とする請求項１記載の液晶表示装置。
【発明の詳細な説明】
【０００１】
【発明の属する技術分野】
本発明は、液晶表示装置に関し、特に、アクティブマトリクス型の液晶画素により構成される液晶パネルを有し、信号ラインを介して液晶画素に印加する信号極性を、液晶画素の対向電極のコモン信号Ｖcomに対して、信号ライン１本毎に反転するように設定するドット反転駆動用の信号ドライバを備えた液晶表示装置に関する。
【０００２】
【従来の技術】
近年、情報化社会への急激な進展に伴って、パーソナルコンピュータのモニタや、大型ディスプレイ、テレビジョンの代替えとして液晶表示装置の普及が著しい。
液晶表示装置（Liquid Crystal Display；以下、ＬＣＤと略記する）は、従来ディスプレイの主流であったブラウン管（ＣＲＴ）に比較して、薄型、軽量、低消費電力等の特徴を有しており、今後のディスプレイの主流になるものと期待されている。そのため、更なる大画面化、高精細化、高品質化に対応した技術の確立が求められている。
従来のＬＣＤの構成について、図面を参照して簡単に説明する。
図８は、従来採用されてきた片側駆動方式のＬＣＤの概略構成図である。
図８において、１０は液晶パネル、２０は信号ドライバ（ソースドライバともいう）、３０は走査ドライバ（ゲートドライバともいう）、４０はＬＣＤコントローラ、５０はＲＧＢデコーダである。
【０００３】
液晶パネル１０は、マトリクス状に配置された画素電極と、画素電極にソースが接続された、例えば薄膜トランジスタ（Thin Film Transistor；以下、ＴＦＴと略記する）と、マトリクスの行方向に延伸し、複数のＴＦＴのゲートに接続された走査ラインと、列方向に延伸し、複数のＴＦＴのドレインに接続された信号ラインと、画素電極に対向して配置された対向電極（共通電極ともいう）と、画素電極と対向電極の間に充填された液晶により構成される。
信号ドライバ２０には各信号ラインが接続され、水平制御信号に基づいて、所定の画像データを１行単位で記憶し、対応する画像信号を各信号ラインに順次供給する。また、走査ドライバ３０には各走査ラインが接続され、垂直制御信号に基づいて、走査ラインに走査信号を順次印加して選択状態とし、上記信号ラインと交差する位置の画素電極に、上記信号ラインに供給された画像信号の電圧を印加する。
【０００４】
ＬＣＤコントローラ４０は、ＲＧＢデコーダ５０から供給される水平クロック信号、垂直クロック信号及び同期信号に基づいて、水平制御信号及び垂直制御信号を生成して、信号ドライバ２０及び走査ドライバ３０に供給することにより、所定のタイミングで画素電極に信号電圧を印加して、液晶パネル１０に画像データを表示させる制御を行う。また、ＲＧＢデコーダ５０は、液晶パネル１０に表示する画像データに含まれる色成分を、例えば各８ビット幅のデジタルＲＧＢ信号（Ｄ00〜Ｄ07、Ｄ10〜Ｄ17、Ｄ20〜Ｄ27；計２４ビット）に変換して信号ドライバ２０に供給するとともに、画像データの表示タイミングを設定する水平クロック信号、垂直クロック信号及び同期信号を生成する。
【０００５】
上記構成のＬＣＤにおいて、各行の走査信号がオンの期間に、信号ラインに供給された画像信号電圧をＴＦＴを介して画素電極に印加することにより、画素電極及び対向電極間に液晶を介在させた画素容量に、印加電圧と対向電極に印加される一定電圧のコモン信号Ｖcomとの電位の差が充電され、印加された画像信号に対応した表示が実現される。ここで、ＬＣＤの駆動方法としては、液晶画素に印加される電圧の変化方向によって画面がちらついて見える、交流駆動が行われるが、液晶画素に印加される電圧の反転周期や反転する画素間隔によっては画面がちらついて見える、いわゆるフリッカ現象が生じる。このフリッカー現象を低減させるために、１フィールド毎（フィールド反転駆動）、１ゲートライン毎（ライン反転駆動）、あるいは１ドット毎（ドット反転駆動）に液晶素子への印加電圧の極性を、コモン信号Ｖcomに対して正負に反転させる駆動方式が採用されており、その中でドット反転駆動方式がフリッカー低減に最も効果があるため、採用されることが多くなっている。
また、近年においては、液晶表示装置の額縁部分をできるだけ小さくすることが要求され、信号ドライバを片側だけに配置することが行われている。その構成でドット反転駆動を行えるようにするために、出力端子に出力される信号のコモン信号Ｖcomに対する極性が１端子毎、すなわち、１信号ライン毎に自動的に反転された状態に設定されるドット反転駆動用の信号ドライバ（以下、ドット反転用ドライバという）が開発され、信号ドライバとしてはこの形式が主流となっている。
【０００６】
ところで、ＸＧＡあるいは１２８０×１０２４ドットのＳＸＧＡのように画素数が極めて多く、高精細なＬＣＤにおいて、上述したドット反転用ドライバを液晶パネルの片側に配置した片側駆動方式の構造を採用した場合、クロック周波数が高くなり、現状のドライバでは対応できない場合がある、という問題がある。そこで、図９に示すように、信号ドライバを液晶パネル１０の上方及び下方の両側に設け、隣り合う信号ラインを櫛歯状に上下に引き出し、各々の信号ラインＤＬ１、ＤＬ２、ＤＬ３、…を上方及び下方の各信号ドライバ２０ａ、２０ｂに交互に接続配線することによって、クロック周波数を半減するとともに、液晶パネル１０との接続ピッチを拡げた構成が採用されるようになってきている。しかしながら、このような構成のＬＣＤにおいては、以下に示すような問題が指摘されている。
【０００７】
ドット反転専ドライバを液晶パネルの上方及び下方の両側に配置した場合の問題点については、特開平１０−１８７０９７号公報に記載されている。すなわち、液晶パネルの上方及び下方に信号ドライバ（信号ドライバ２０ａ、２０ｂ）を配置した両側駆動方式のＬＣＤにおいて、信号ドライバに上記ドット反転用ドライバを用いた場合には、信号ドライバ２０ａにより信号ラインに印加される極性は、図１０（ａ）に示すように、偶数フレームの場合、Ｒ１（＋）、Ｂ１（−）、Ｇ２（＋）、Ｒ３（−）、…であり、一方、信号ドライバ２０ｂではＧ１（＋）、Ｒ２（−）、Ｂ２（＋）、…となるため、液晶パネルにおける偶数フレームの画素電極に印加される信号極性は、図１０（ｂ）に示すように、Ｒ１（＋）、Ｇ１（＋）、Ｂ１（−）、Ｒ２（−）、Ｇ２（＋）、Ｂ２（＋）、…となる。なお、奇数フレームの場合では、上述した偶数フレームの場合とは反対の極性が印加される。
したがって、ドット反転用ドライバを液晶パネルの上方及び下方に配置し、信号ラインを交互に上下に引き出して接続して駆動した場合には、連続する２本の信号ラインに同一の極性の信号電圧が印加されることになり、１ドット毎に信号電圧の極性を反転する本来のドット反転駆動とはならず、表示画面全体にわたって縦縞状に輝度差が生じ、表示画質が損なわれるという問題を有している。
【０００８】
【発明が解決しようとする課題】
上述した特開平１０−１８７０９７号公報には、このような問題点に着目し、図１１に示すように、液晶パネル１０の上方及び下方に設けられたドット反転用ドライバである信号ドライバ２０ａ、２０ｂに対して、隣り合う信号ライン（ソースバス）を２本ずつ櫛歯状に上下に取り出して接続配線し、１クロック毎に入力される２組のＲＧＢ信号（合計６信号）をマルチプレクサ６０により入れ替えて信号ドライバ２０ａ、２０ｂに供給することにより、各信号ラインに出力する信号極性を信号ライン１本毎に反転させ、ドット反転駆動を実現する構成が記載されている。
しかしながら、このような構成のＬＣＤにおいては、信号ドライバ２０ａ、２０ｂに入力する画像信号の構成がクロック毎に異なるため、信号ドライバの前段にマルチプレクサ６０を設置し、入力データの入れ替えを行うことが必要となるため、周辺回路構成が複雑になるとともに、入力データの処理が煩雑になるという問題を有している。
【０００９】
そこで、本発明は、液晶パネルの上方及び下方にドット反転用ドライバを備えつつ、簡易な回路構成でドット反転駆動を良好に実現して表示画質の向上を図ることができる液晶表示装置を提供することを目的とする。
【００１０】
【課題を解決するための手段】
請求項１記載の液晶表示装置は、マトリクス状に配列された複数の液晶画素と、前記複数の液晶画素を行方向及び列方向に接続する複数の信号ライン及び走査ラインと、所定の走査信号を順次シフトさせて印加し、前記走査ラインを順次選択する走査ドライバと、前記信号ラインに画像信号を印加する信号ドライバと、を備えた液晶表示装置において、前記信号ドライバは、前記信号ラインに印加するａ（ａは正の整数）個のＲＧＢ画素分の画像信号を入力する入力系を有する第１及び第２のドット反転用ドライバから構成され、前記第１のドット反転用ドライバは、前記複数の信号ラインの隣接する３ａ×ｎ本（ｎは正の整数）を一組とする複数のグループのうち、ｎが奇数番目のグループに属する信号ライン群を駆動し、また、前記第２のドット反転用ドライバは、ｎが偶数番目のグループに属する信号ライン群を駆動することを特徴とする。
【００１１】
また、請求項２記載の液晶表示装置は、請求項１記載の液晶表示装置において、前記第１及び第２のドット反転用ドライバは、前記信号ラインに印加する３ドット（ＲＧＢ画素１個分）の画像信号を入力する入力系を有するドット反転用ドライバから構成され、前記第１のドット反転用ドライバは、前記複数の信号ラインの隣接する３本を一組とする複数のグループのうち、奇数番目のグループに属する信号ライン群を駆動し、また、前記第２のドット反転用ドライバは、偶数番目のグループに属する信号ライン群を駆動することを特徴とする。また、請求項３記載の液晶表示装置は、請求項１記載の液晶表示装置において、前記第１及び第２のドット反転用ドライバは、前記信号ラインに印加する６ドット（ＲＧＢ画素２個分）の画像信号を入力する入力系を有するドット反転用ドライバから構成され、前記第１のドット反転用ドライバは、前記複数の信号ラインの隣接する６本を一組とする複数のグループのうち、奇数番目のグループに属する信号ライン群を駆動し、また、前記第２のドット反転用ドライバは、偶数番目のグループに属する信号ライン群を駆動することを特徴とする。
【００１２】
【発明の実施の形態】
以下、本発明の実施の形態を、図面を参照しながら説明する。
＜第１の実施形態＞
本実施形態に係る液晶表示装置は、信号ドライバへの画像信号の入力が、３ドット（ＲＧＢ画素１個分）の画像信号を入力する１入力系統であって、かつ、液晶パネルの信号ラインが３ｎ（ｎは正の整数）本ずつを１グループとして交互に上下に引き出され、液晶パネルの上方及び下方に配置された個別の信号ドライバに接続されるとともに、この信号ドライバが、信号ラインを介して画素電極に印加する信号極性を、隣り合う信号ライン相互でコモン信号Ｖcomに対して反転して供給するドット反転用ドライバであることを特徴としている。
図１は、本発明に係る液晶表示装置の第１の実施形態を示す要部構成図である。ここで、上述した従来技術と同等の構成については、その説明を簡略化する。図１において、１０は液晶パネル、２０ａ、２０ｂは信号ドライバ、３０は走査ドライバ、ＤＬ１、ＤＬ２、ＤＬ３、ＤＬ４、ＤＬ５、…は信号ライン、ＳＬ１、ＳＬ２、ＳＬ３、ＳＬ４、ＳＬ５、…は走査ラインである。ここで、液晶パネル１０は、上述したように、ＳＶＧＡやＸＧＡ等に対応する画素数を有するものであるが、説明に都合上、簡略化して図示した。
【００１３】
各構成の機能は概略以下の通りである。
液晶パネル１０は、２枚の透明絶縁基板間に液晶が封入、封止され、各基板の対向面に複数の信号ライン及び走査ラインをマトリクス状に配線し、その交点にＴＦＴを介して画素電極と対向電極からなる画素容量を有して構成される。
信号ドライバ２０ａは、液晶パネル１０の上方に配置され、信号ドライバ２０ｂは、液晶パネル１０の下方に配置される。そして、液晶パネル１０に配置された信号ラインＤＬ１、ＤＬ２、ＤＬ３、ＤＬ４、ＤＬ５、…のうち、互いに隣り合う３本の信号ライン群（ＤＬ１、ＤＬ２、ＤＬ３）、（ＤＬ４、ＤＬ５、ＤＬ６）、（ＤＬ７、ＤＬ８、ＤＬ９）、…をそれぞれ一組としてグループ化し、奇数番目となる信号ライン群（ＤＬ１、ＤＬ２、ＤＬ３）、（ＤＬ７、ＤＬ８、ＤＬ９）、…を液晶パネルの上方に引き出して、信号ドライバ２０ａに接続配線し、一方、偶数番目となる信号ライン群（ＤＬ４、ＤＬ５、ＤＬ６）、（ＤＬ１０、ＤＬ１１、ＤＬ１２）、…を液晶パネルの下方に引き出して、信号ドライバ２０ｂに接続配線する。
また、信号ドライバ２０ａ、２０ｂは、例えば各８ビット幅（Ｄ00〜Ｄ07、Ｄ10〜Ｄ17、Ｄ20〜Ｄ27）の３ドット（ＲＧＢ画素１個分）の画像信号を入力処理する１入力系統を有するとともに、互いに隣り合う信号ラインを介して画素電極に印加されるＲ、Ｇ、Ｂの各信号の極性を、画素容量を構成する対向電極のコモン信号Ｖcomに対して交互に反転するように設定する、ドット反転用ドライバが採用されている。
【００１４】
走査ドライバ３０は、液晶パネル１０の行方向に配線された走査ラインに走査信号を順次供給して選択状態とし、信号ラインに供給されるＲ、Ｇ、Ｂ各信号に応じて、画素電極への書き込みを可能とする。
ここで、本実施形態の信号ドライバ２０ａ、２０ｂに良好に適用されるデジタルドライバの構成について、図２を参照して説明する。
図２において、２１はシフトレジスタ、２２はデータレジスタ、２３はラッチ回路、２４はレベルシフタ、２５はＤ／Ａコンバータ、２６は出力バッファである。
図２に示すようなデジタル方式のドライバは、まず、時系列的に供給される所定のデジタルＲＧＢ信号を、シフトレジスタ２１から送出されるサンプリングクロックのタイミングにしたがって、Ｒ、Ｇ、Ｂの３信号を一組として順次サンプリングして、液晶パネルの１行分のＲＧＢ信号をデータレジスタ２２に取り込み、ラッチパルスＬＰのタイミングでラッチ回路２３に保持する。次いで、ラッチ回路２３に保持されたＲＧＢ信号をレベルシフタ２４で駆動電源レベルへレベルシフトした後、Ｄ／Ａコンバータ２５により階調電圧Ｖ0〜Ｖ9に基づいてディジタル・アナログ変換処理することによりアナログ信号化する。このとき、奇数出力と偶数出力とでコモン信号Ｖcomに対して逆極性となる階調電圧を用いて変換し、出力バッファ２６を介して各信号ラインに供給する。これにより出力端子１本毎にコモン信号Ｖcomに対して極性が反転された出力信号が各信号ラインに供給される。これにより、図示を省略した走査ドライバにより選択状態にある走査ラインに接続された液晶画素に所定の信号電圧を印加して駆動するものである。
【００１５】
次に、本実施形態における液晶表示装置の動作について、図面を参照して説明する。
図３は、信号ドライバ２０ａ、２０ｂへの入力信号内容と出力される信号の極性、及び、液晶パネルの各フレームにおける信号ラインごとの信号極性を示す図である。
上述した構成を有する液晶表示装置によれば、信号ドライバ２０ａに印加される入力信号はＲ１Ｇ１Ｂ１，Ｒ３Ｇ３Ｂ３，…であり、それにより各信号ラインＤＬ１、ＤＬ２、ＤＬ３、ＤＬ７、ＤＬ８、ＤＬ９、…に印加される極性は、図３（ａ）に示すように、偶数フレームの場合、Ｒ１（＋）、Ｇ１（−）、Ｂ１（＋）、Ｒ３（＋）、Ｇ３（−）、Ｂ３（＋）、…となり、信号ライン群（ＤＬ１、ＤＬ２、ＤＬ３）、（ＤＬ７、ＤＬ８、ＤＬ９）内において、コモン信号Ｖcomに対して極性が交互に反転する。一方、信号ドライバ２０ｂに印加される入力信号はＲ２Ｇ２Ｂ２，Ｒ４Ｇ４Ｂ４，…であり、それにより各信号ラインＤＬ４、ＤＬ５、ＤＬ６、ＤＬ１０、ＤＬ１１、ＤＬ１２、…に印加される極性は、Ｒ２（−）、Ｇ２（＋）、Ｂ２（−）、Ｒ４（−）、Ｇ４（＋）、Ｂ４（−）、…となり、信号ライン群（ＤＬ４、ＤＬ５、ＤＬ６）、（ＤＬ１０、ＤＬ１１、ＤＬ１２）内においても、コモン信号Ｖcomに対して極性が交互に反転する。これらによって、液晶パネルにおける偶数フレームの画素電極に印加される信号極性は、図３（ｂ）に示すように、Ｒ１（＋）、Ｇ１（−）、Ｂ１（＋）、Ｒ２（−）、Ｇ２（＋）、Ｂ２（−）、…となって、１ドット毎に信号極性が反転する、ドット反転駆動が実現される。
【００１６】
また、奇数フレームの場合、上述した偶数フレームの場合とは反対に、信号ドライバ２０ａにより出力される信号極性は、Ｒ１（−）、Ｇ１（＋）、Ｂ１（−）、Ｒ３（−）、Ｇ３（＋）、Ｂ３（−）、…となり、一方、信号ドライバ２０ｂにより出力される信号極性は、Ｒ２（＋）、Ｇ２（−）、Ｂ２（＋）、Ｒ４（＋）、Ｇ４（−）、Ｂ４（＋）、…となるため、信号ライン群（ＤＬ１、ＤＬ２、ＤＬ３）、（ＤＬ４、ＤＬ５、ＤＬ６）、（ＤＬ７、ＤＬ８、ＤＬ９）のそれぞれにおいても、コモン信号Ｖcomに対して極性が交互に反転する。これらによって、各画素電極に印加される信号極性も、Ｒ１（−）、Ｇ１（＋）、Ｂ１（−）、Ｒ２（＋）、Ｇ２（−）、Ｂ２（＋）、…となって、ドット反転駆動が実現される（図３（ａ）、（ｂ）参照）。
【００１７】
このように、ドット反転用ドライバを液晶パネルの上方及び下方に配置し、信号ラインをＲＧＢ信号に対応する３本ずつグループ化して、交互に上下に引き出して接続配線して、信号ライン毎に印加される信号の極性を反転させることにより、同一の信号極性の連続が阻止され、各フレームにおいてドット反転駆動が実現されることになり、表示画質の向上を図ることができる。ここで、信号ドライバ２０ａ、２０ｂに入力される画像信号は、Ｒ、Ｇ、Ｂの３信号を一組として規則的なパターンで入力処理することができるため、従来技術に示したように、入力信号の入れ替え等の複雑な処理を行う必要がない。そのため、マルチプレクサ等の周辺回路を必要としないので、簡易な構成で上記効果を奏することができる。
【００１８】
また、色表示を決定する一組のＲＧＢ画素を、１つの信号ドライバにより駆動するので、ＲＧＢ画素を異なる信号ドライバに分けて駆動する場合に比較して、ドライバ自体が有する特性差の影響を受けにくくなり、ＲＧＢの表示バランスを良好に維持することができる。
さらに、液晶パネルの上方及び下方に信号ドライバを設けたことにより、片側駆動の場合に比較して、クロック速度を１／２に低減することができるため、回路構成を容易に実現することができ、また、信号ドライバと液晶パネルの接続ピッチを広くすることができる。
なお、本実施形態においては、信号ラインのグループ化を一組のＲＧＢ信号に対応させた場合について説明したが、本発明は、これに限定されるものではなく、色表示を決定する一組のＲＧＢ画素のｎ倍に対応する信号ライン、すなわち、３、６、９、…本をグループ化して、上方あるいは下方の信号ドライバに交互に接続配線するものであってもよい。
【００１９】
＜第２の実施形態＞
次に、本発明に係る液晶表示装置の第２の実施形態について、図面を参照して説明する。
本実施形態に係る液晶表示装置は、信号ドライバへの画像ＲＧＢ信号の入力が、３ドット（ＲＧＢ画素１個分）の画像信号を入力する１入力系統であって、かつ、液晶パネルの信号ラインが６ｎ（ｎは正の整数）本ずつを１グループとして交互に上下に引き出され、液晶パネルの上方及び下方に配置された個別の信号ドライバに接続されるとともに、この信号ドライバが、信号ラインを介して画素電極に印加する信号極性を、隣り合う信号ライン相互でコモン信号Ｖcomに対して反転して供給するドット反転用ドライバであることを特徴としている。
【００２０】
図４は、本実施形態に係る液晶表示装置の要部構成図である。ここで、上述した従来技術と同等の構成については、その説明を省略する。
図４において、信号ドライバ２０ａ、２０ｂは、液晶パネル１０の上方及び下方に配置され、液晶パネル１０に配置された信号ラインＤＬ１、ＤＬ２、ＤＬ３、ＤＬ４、ＤＬ５、…のうち、互いに隣り合う６本の信号ライン群（ＤＬ１〜ＤＬ６）、（ＤＬ７〜ＤＬ１２）、（ＤＬ１３〜ＤＬ１８）、…をそれぞれ一組としてグループ化し、奇数番目となる信号ライン群（ＤＬ１〜ＤＬ６）、（ＤＬ１３〜ＤＬ１８）、…を液晶パネルの上方に引き出して、信号ドライバ２０ａに接続配線し、一方、偶数番目となる信号ライン群（ＤＬ７〜ＤＬ１２）、（ＤＬ１９〜ＤＬ２４）、…を液晶パネルの下方に引き出して、信号ドライバ２０ｂに接続配線する。
また、信号ドライバ２０ａ、２０ｂは、上述した実施形態と同様に、例えば各８ビット幅（Ｄ00〜Ｄ07、Ｄ10〜Ｄ17、Ｄ20〜Ｄ27）のＲ、Ｇ、Ｂの３信号を一組として入力処理する１入力系統を有するとともに、互いに隣り合う信号ラインを介して画素電極に印加されるＲ、Ｇ、Ｂの各信号の極性を、画素容量を構成する対向電極のコモン信号Ｖcomに対して交互に反転するように設定する、ドット反転用ドライバが採用されている。
【００２１】
次に、本実施形態における液晶表示装置の動作について、図面を参照して説明する。
図５は、信号ドライバ２０ａ、２０ｂから出力される信号の極性と、液晶パネルの各フレームにおける信号極性を示す図である。
上述した構成を有する液晶表示装置によれば、信号ドライバ２０ａに印加される入力信号はＲ１Ｇ１Ｂ１，Ｒ２Ｇ２Ｂ２，…であり、それにより各信号ラインＤＬ１、ＤＬ２、ＤＬ３、ＤＬ４、ＤＬ５、ＤＬ６、…に印加される極性は、図５（ａ）に示すように、偶数フレームの場合、信号ドライバ２０ａではＲ１（＋）、Ｇ１（−）、Ｂ１（＋）、Ｒ２（−）、Ｇ２（＋）、Ｂ２（−）、…となり、信号ライン群（ＤＬ１〜ＤＬ６）、（ＤＬ１３〜ＤＬ１８）内において、コモン信号Ｖcomに対して極性が交互に反転する。一方、信号ドライバ２０ｂに印加される入力信号はＲ３Ｇ３Ｂ３，Ｒ４Ｇ４Ｂ４，…であり、それにより各信号ラインＤＬ７、ＤＬ８、ＤＬ９、ＤＬ１０、ＤＬ１１、ＤＬ１２、…に印加される極性は、Ｒ３（＋）、Ｇ３（−）、Ｂ３（＋）、Ｒ４（−）、Ｇ４（＋）、Ｂ４（−）、…となり、信号ライン群（ＤＬ７〜ＤＬ１２）、（ＤＬ１９〜ＤＬ２４）内においても、コモン信号Ｖcomに対して極性が交互に反転する。これらによって、液晶パネルにおける偶数フレームの画素電極に印加される信号極性は、図５（ｂ）に示すように、Ｒ１（＋）、Ｇ１（−）、Ｂ１（＋）、Ｒ２（−）、Ｇ２（＋）、Ｂ２（−）、…となって、１ドット毎に信号極性が反転する、ドット反転駆動が実現される。
【００２２】
また、奇数フレームの場合、上述した偶数フレームの場合とは反対に、信号ドライバ２０ａではＲ１（−）、Ｇ１（＋）、Ｂ１（−）、Ｒ２（＋）、Ｇ２（−）、Ｂ２（＋）、…となり、一方、信号ドライバ２０ｂではＲ３（−）、Ｇ３（＋）、Ｂ３（−）、Ｒ４（＋）、Ｇ４（−）、Ｂ４（＋）、…となるため、信号ライン群（ＤＬ１〜ＤＬ６）、（ＤＬ７〜ＤＬ１２）、（ＤＬ１３〜ＤＬ１８）のそれぞれにおいても、コモン信号Ｖcomに対して極性が交互に反転する。これらによって、画素電極に印加される信号極性も、Ｒ１（−）、Ｇ１（＋）、Ｂ１（−）、Ｒ２（＋）、Ｇ２（−）、Ｂ２（＋）、…となって、ドット反転駆動が実現される（図５（ａ）、（ｂ）参照）。
ここで、信号ドライバ２０ａ、２０ｂは、図２に示した構成において、時系列的に供給される所定のデジタルＲＧＢ信号を、信号ラインのグループ化に対応させて２つに分周し、シフトレジスタ２１から送出されるサンプリングクロックのタイミングにしたがって、Ｒ、Ｇ、Ｂの３信号を２回（６信号分を一組として）ずつ順次サンプリングして、液晶パネルの１行分のＲＧＢ信号をデータレジスタ２２に取り込むように入力処理を実行する。
【００２３】
このように、ドット反転用ドライバを液晶パネルの上方及び下方に配置し、信号ラインをＲＧＢ信号に対応する６本ずつグループ化して、交互に上下に引き出して接続配線して、信号ライン毎に印加される信号の極性を反転させることにより、同一の信号極性の連続が阻止され、各フレームにおいてドット反転駆動が実現されることになり、表示画質の向上を図ることができる。また、信号ドライバ２０ａ、２０ｂに入力される画像信号は、Ｒ、Ｇ、Ｂの３信号を一組として規則的なパターンで入力処理することができるため、入力信号の入れ替え等の複雑な処理を行う必要がなく、簡易な構成で上述した実施形態と同様の効果を奏することができる。
なお、本実施形態においては、信号ラインのグループ化を一組のＲ、Ｇ、Ｂ、Ｒ、Ｇ、Ｂの６信号に対応させた場合について説明したが、本発明は、これに限定されるものではなく、６信号のｎ倍に対応する信号ライン、すなわち、６、１２、…本をグループ化して、上方あるいは下方の信号ドライバに交互に接続配線するものであってもよい。
【００２４】
＜第３の実施形態＞
次に、本発明に係る液晶表示装置の第３の実施形態について、図面を参照して説明する。
本実施形態に係る液晶表示装置は、信号ドライバへの画像信号の入力が、６ドット（ＲＧＢ画素２個分）の画像信号、すなわち、Ｒ、Ｇ、Ｂ、Ｒ、Ｇ、Ｂの６信号を一括して入力する２入力系統であって、かつ、液晶パネルの信号ラインが６ｎ（ｎは正の整数）本ずつを１グループとして交互に上下に引き出され、液晶パネルの上方及び下方に配置された個別の信号ドライバに接続されるとともに、この信号ドライバが、信号ラインを介して画素電極に印加する信号極性を、隣り合う信号ライン相互でコモン信号Ｖcomに対して反転して供給するドット反転用ドライバであることを特徴としている。
【００２５】
図６は、本実施形態に係る液晶表示装置の要部構成図である。ここで、上述した従来技術と同等の構成については、その説明を省略する。
図６において、上述した第２の実施形態と同様に、信号ドライバ２０ａ、２０ｂは、液晶パネル１０の上方及び下方に配置され、液晶パネル１０に配置された互いに隣り合う６本の信号ライン群（ＤＬ１〜ＤＬ６）、（ＤＬ７〜ＤＬ１２）、（ＤＬ１３〜ＤＬ１８）、…をそれぞれ一組としてグループ化し、奇数番目となる信号ライン群（ＤＬ１〜ＤＬ６）、（ＤＬ１３〜ＤＬ１８）、…を液晶パネルの上方に引き出して、信号ドライバ２０ａに接続配線し、偶数番目となる信号ライン群（ＤＬ７〜ＤＬ１２）、（ＤＬ１９〜ＤＬ２４）、…を液晶パネルの下方に引き出して、信号ドライバ２０ｂに接続配線する。
また、信号ドライバ２０ａ、２０ｂは、例えば各８ビット幅（Ｄ00〜Ｄ07、Ｄ10〜Ｄ17、Ｄ20〜Ｄ27、Ｄ30〜Ｄ37、Ｄ40〜Ｄ47、Ｄ50〜Ｄ57）のＲ、Ｇ、Ｂ、Ｒ、Ｇ、Ｂの６信号、すなわち、二組のＲＧＢ信号を入力処理する２入力系統を有するとともに、互いに隣り合う信号ラインを介して画素電極に印加されるＲ、Ｇ、Ｂの各信号の極性を、画素容量を構成する対向電極のコモン信号Ｖcomに対して交互に反転するように設定する、ドット反転用ドライバが採用されている。
【００２６】
次に、本実施形態における液晶表示装置の動作について、図面を参照して説明する。
図７は、信号ドライバ２０ａ、２０ｂから出力される信号の極性と、液晶パネルの各フレームにおける信号極性を示す図である。
上述した構成を有する液晶表示装置によれば、信号ドライバ２０ａに印加される入力信号はＲ１Ｇ１Ｂ１Ｒ２Ｇ２Ｂ２，Ｒ５Ｇ５Ｂ５Ｒ６Ｇ６Ｂ６，…であり、それにより各信号ラインＤＬ１、ＤＬ２、ＤＬ３、ＤＬ４、ＤＬ５、ＤＬ６、…に印加される極性は、図７（ａ）に示すように、偶数フレームの場合、信号ドライバ２０ａではＲ１（＋）、Ｇ１（−）、Ｂ１（＋）、Ｒ２（−）、Ｇ２（＋）、Ｂ２（−）、…となり、信号ライン群（ＤＬ１〜ＤＬ６）、（ＤＬ１３〜ＤＬ１８）内において、コモン信号Ｖcomに対して極性が交互に反転する。一方、信号ドライバ２０ｂに印加される入力信号はＲ３Ｇ３Ｂ３Ｒ４Ｇ４Ｂ４，Ｒ７Ｇ７Ｂ７Ｒ８Ｇ８Ｂ８，…であり、それにより各信号ラインＤＬ７、ＤＬ８、ＤＬ９、ＤＬ１０、ＤＬ１１、ＤＬ１２、…に印加される極性は、Ｒ３（＋）、Ｇ３（−）、Ｂ３（＋）、Ｒ４（−）、Ｇ４（＋）、Ｂ４（−）、…となり、信号ライン群（ＤＬ７〜ＤＬ１２）、（ＤＬ１９〜ＤＬ２４）内においても、コモン信号Ｖcomに対して極性が交互に反転する。これらによって、液晶パネルにおける偶数フレームの画素電極に印加される信号極性は、図７（ｂ）に示すように、Ｒ１（＋）、Ｇ１（−）、Ｂ１（＋）、Ｒ２（−）、Ｇ２（＋）、Ｂ２（−）、…となって、第２の実施形態の場合と同様に、１ドット毎に信号極性が反転する、ドット反転駆動が実現される。
【００２７】
また、奇数フレームの場合においても、第２の実施形態の場合と同様に、信号ライン群（ＤＬ１〜ＤＬ６）、（ＤＬ７〜ＤＬ１２）、（ＤＬ１３〜ＤＬ１８）のそれぞれにおいても、コモン信号Ｖcomに対して極性が交互に反転し、かつ、画素電極に印加される信号極性も、Ｒ１（−）、Ｇ１（＋）、Ｂ１（−）、Ｒ２（＋）、Ｇ２（−）、Ｂ２（＋）、…となって、ドット反転駆動が実現される（図７（ａ）、（ｂ）参照）。
ここで、信号ドライバ２０ａ、２０ｂは、図２に示した構成において、時系列的に供給される所定のデジタルＲＧＢ信号を、信号ラインのグループ化に対応させて２つに分周し、シフトレジスタ２１から送出されるサンプリングクロックのタイミングにしたがって、Ｒ、Ｇ、Ｂ、Ｒ、Ｇ、Ｂの６信号を一組として順次サンプリングして、液晶パネルの１行分のＲＧＢ信号をデータレジスタ２２に取り込むように入力処理を実行する。
【００２８】
このように、ドット反転用ドライバを液晶パネルの上方及び下方に配置し、信号ラインをＲＧＢ信号に対応する６本ずつグループ化して、交互に上下に引き出して接続配線して、信号ライン毎に印加される信号の極性を反転させることにより、同一の信号極性の連続が阻止され、各フレームにおいてドット反転駆動が実現されることになり、表示画質の向上を図ることができる。また、信号ドライバ２０ａ、２０ｂに入力される画像信号は、Ｒ、Ｇ、Ｂ、Ｒ、Ｇ、Ｂの６信号を一組として規則的なパターンで入力処理することができるため、入力信号の入れ替え等の複雑な処理を行う必要がなく、簡易な構成で上述した実施形態と同様の効果を奏することができる。
なお、本実施形態においては、信号ラインのグループ化を一組のＲ、Ｇ、Ｂ、Ｒ、Ｇ、Ｂの６信号に対応させた場合について説明したが、本発明は、これに限定されるものではなく、６信号のｎ倍に対応する信号ライン、すなわち、６、１２、…本をグループ化して、上方あるいは下方の信号ドライバに交互に接続配線するものであってもよい。
さらに、本発明は、上述した各実施形態に限定されるものではなく、信号ドライバに入力される画像信号がＲＧＢ画素のａ個分である場合に、信号ラインのグループ化本数を３ａ×ｎ本として、上方あるいは下方の信号ドライバに交互に接続配線するものであってもよい。
【００２９】
【発明の効果】
請求項１乃至３記載の液晶表示装置によれば、液晶パネルの上方及び下方にドット反転用ドライバを備えた液晶表示装置において、上方及び下方のドット反転用ドライバが、信号ラインに印加するａ（ａは正の整数）個のＲＧＢ画素分の画像信号を入力する入力系を有するとともに、上方又は下方のドット反転用ドライバにより、複数の信号ラインの隣接する３ａ×ｎ本ずつの複数のグループのうち、ｎが偶数番目又は奇数番目のグループに属する信号ライン群を個別に駆動することにより、同一の信号極性の連続が阻止され、各フレームにおいてドット反転駆動が良好に実現されるため、表示画質の向上を図ることができる。また、信号データを規則的なパターンとして信号ドライバに入力することができるため、入力信号の入れ替え等の複雑な処理を行う必要がなく、簡易な構成で上記効果を奏することができる。さらに、色表示を決定する一組のＲＧＢ画素を、１つの信号ドライバにより駆動するので、ＲＧＢ画素を異なる信号ドライバに分けて駆動する場合に比較して、信号ドライバ自体が有する特性差の影響を受けにくくなり、ＲＧＢの表示バランスを良好に維持することができる。
【図面の簡単な説明】
【図１】第１の実施形態に係る液晶表示装置の要部構成図である。
【図２】本実施形態に適用されるデジタルドライバの構成を示すブロック図である。
【図３】第１の実施形態における信号極性を示す図である。
【図４】第２の本実施形態に係る液晶表示装置の要部構成図である。
【図５】第２の実施形態における信号極性を示す図である。
【図６】第３の本実施形態に係る液晶表示装置の要部構成図である。
【図７】第３の実施形態における信号極性を示す図である。
【図８】片側駆動方式のＬＣＤの概略構成図である。
【図９】両側駆動方式のＬＣＤの概略構成図である。
【図１０】従来技術における信号極性を示す図である。
【図１１】従来技術における両側駆動方式のＬＣＤの他の例を示す概略構成図である。
【符号の説明】
１０    液晶パネル
２０、２０ａ、２０ｂ    信号ドライバ
３０    走査ドライバ
４０    ＬＣＤコントローラ
５０    ＲＧＢデコーダ
６０    マルチプレクサ
【図１】
0003846612.tif 000002
【図２】
0003846612.tif 000003
【図３】
0003846612.tif 000004
【図４】
0003846612.tif 000005
【図５】
0003846612.tif 000006
【図６】
0003846612.tif 000007
【図７】
0003846612.tif 000008
【図８】
0003846612.tif 000009
【図９】
0003846612.tif 000010
【図１０】
0003846612.tif 000011
【図１１】
0003846612.tif 000012